(57)【要約】【課題】照射方向ごとに出射光量を設定することができる照明装置及び照明制御システムを提供する。【解決手段】照明装置Ａ１は、光を出射する発光部１００と、発光部１００を覆うように配置された液晶部２００と、液晶部２００における光の透過率を、発光部１００の発光中心から見た方角に応じて変更する液晶制御部５００とを有する。また、照明装置Ａ１及び照明制御システムは、外部から設定情報Ｄ１を取得する通信部３００と、マップ情報Ｄ４が記憶された記憶部４００と、ユーザー操作部６００とを有する。【選択図】図１
2018073661.tif 000002
【特許請求の範囲】
【請求項１】
光を出射する発光部と、
前記発光部を覆うように配置された液晶部と、
前記液晶部における前記光の透過率を、前記発光部の発光中心から見た方角に応じて変更する液晶制御部と
を有する照明装置。
【請求項２】
前記液晶部は、前記発光部と反対側を凸状にした曲面である請求項１に記載の照明装置。
【請求項３】
前記液晶部は、前記発光部と反対側を凸状にした半球面である請求項１に記載の照明装置。
【請求項４】
前記発光部の発光中心は、前記半球面の中心に一致する請求項３に記載の照明装置。
【請求項５】
前記液晶部は、前記発光部の発光中心を中心とする球面である請求項１に記載の照明装置。
【請求項６】
前記液晶部に電圧を印加する電極をさらに有し、
前記液晶制御部は、前記電極に印加する電圧を制御することによって前記透過率を変更する
請求項１から５のいずれか１項に記載の照明装置。
【請求項７】
外部からの設定情報を取得する通信部と、
前記照明装置が使用される施設における照明エリアの位置を示すエリア情報と、前記照明装置の前記施設における位置を示す位置情報とが記憶された記憶部と
をさらに有し、
前記液晶制御部は、前記設定情報と、前記エリア情報と、前記位置情報とに基づいて前記液晶部における光の透過率を変更する
請求項１から６のいずれか１項に記載の照明装置。
【請求項８】
前記液晶部は、ＴＮ液晶である請求項１から７のいずれか１項に記載の照明装置。
【請求項９】
施設内の複数のエリアを照明する照明制御システムであって、
光を出射する発光部と前記発光部を覆うように配置された液晶部とを具備する照明装置と、
前記液晶部における前記光の透過率を、前記発光部の発光中心から見た方角に応じて変更する液晶制御部と、
前記複数のエリアの位置を示すエリア情報と前記照明装置の位置を示す位置情報とが記憶された記憶部と、
を有し、
前記液晶制御部は、
前記エリア情報と前記位置情報とユーザーが設定した設定情報とから、前記発光部から前記複数のエリアのうちの前記設定情報で指定されたエリアに向かう方角を算出し、
前記液晶部のうちの、前記発光部から見て前記算出された方角に配置されている領域の光の透過率を調整する
照明制御システム。
【請求項１０】
前記設定情報は、前記設定情報で指定されたエリアにおける照度を指定する照度情報を含み、
前記液晶制御部は、前記液晶部のうちの前記発光部から見て前記算出された方角に配置されている領域の光の透過率を、前記照度情報に応じて調整する
請求項９に記載の照明制御システム。
【発明の詳細な説明】
【技術分野】
【０００１】
本発明は、エリアごとに異なる照度を設定することができる照明装置及び照明制御システムに関し、特に、施設照明に用いられる照明装置及び照明制御システムに関する。
【背景技術】
【０００２】
体育館又は競技場等の施設では、複数種の競技を同時に行う場面が多々あるが、競技毎に適正照度は異なる。このような施設の照明システムでは、適正照度が異なる競技を同時に実施する場合、一般的に、予め競技で使用する床面エリアの直上に位置する複数の照明器具をグループ化し、各グループに競技毎の照度を設定しておき、使用時は、スイッチ又はリモコン操作により、当該グループの照度を設定された照度に調整する。例えば、天井を見上げながら行う第１の競技と、手元を見ながら行う第２の競技を同時に行う場合、一般的に第２の競技の方の適正照度が高いため、第１の競技の行われる床面エリアの真上に位置する照明器具（照明器具のグループ）の照度を低く、第２の競技の行われる床面エリアの真上に位置する照明器具（照明器具のグループ）の照度を高く設定する。特許文献１には、グループ毎に点灯制御を行う照明制御システムに関する技術が記載されている。
【先行技術文献】
【特許文献】
【０００３】
【特許文献１】特開２０１４−１９２００５号公報
【発明の概要】
【発明が解決しようとする課題】
【０００４】
しかしながら、特許文献１に記載の技術では、照明装置の照射方向ごとに出射光量を設定することができない。このため、例えば、適正照度が高い第２の競技の床面エリアの真上に位置する照明装置から出射された光が、適正照度が低い第１の競技の競技者の視界に入ることがあり、この場合に、適正照度が低い第１の競技の競技者はまぶしさを感じる問題があった。
【０００５】
本発明は、上記のような問題点を解決するためになされたものであり、照射方向ごとに出射光量を設定することができる照明装置及びエリアごとに異なる照度を設定することができる照明制御システムを提供することを目的とする。
【課題を解決するための手段】
【０００６】
本発明の一態様に係る照明装置は、光を出射する発光部と、前記発光部を覆うように配置された液晶部と、前記液晶部における前記光の透過率を、前記発光部の発光中心から見た方角に応じて変更する液晶制御部とを有する。
【発明の効果】
【０００７】
本発明によれば、照射方向ごとに照明装置の出射光量を設定することができるので、照明装置によって照明されるエリアごとに異なる照度を設定することができる。
【図面の簡単な説明】
【０００８】
【図１】本発明の実施の形態に係る照明装置及び照明制御システムの概略的な構成を示すブロック図である。
【図２】実施の形態に係る照明装置の外観図である。
【図３】（ａ）及び（ｂ）は、実施の形態における液晶部の概略的な構成を示す図である。
【図４】実施の形態に係る照明制御システムにおける設定情報を概略的に示す図である。
【図５】実施の形態に係る照明制御システムにおけるマップ情報を概略的に示す図である。
【図６】実施の形態に係る照明制御システムにおける処理部により算出された方角と、この方角に面したＹ電極及びＸ電極の交点とを示す図である。
【図７】実施の形態に係る照明制御システムにおける処理部により抽出された電極（電極の交点）と、電極における印加電圧のマトリックス情報を示す図である。
【図８】実施の形態に係る照明装置及び照明制御システムを適用した場合の各エリアにおける照度を示す図である。
【図９】実施の形態に係る照明装置及び照明制御システムの動作の一例を示すフローチャートである。
【発明を実施するための形態】
【０００９】
以下、図面を参照しながら、本発明の実施の形態を詳細に説明する。なお、本発明は、図示例に限定されるものではない。
【００１０】
実施の形態．
《１》構成
図１は、本発明の実施の形態に係る照明装置Ａ１及び照明制御システムの概略的な構成を示すブロック図であり、図２は、実施の形態に係る照明装置Ａ１の外観図である。
【００１１】
図１に示されるように、実施の形態に係る照明装置Ａ１及び照明制御システムは、光を出射する光源としての発光部１００と、発光部１００を覆うように配置された液晶部２００と、液晶部２００における光の透過率を、発光部１００の発光中心から見た方角に応じて変更する液晶制御部としての処理部５００とを有している。また、照明装置Ａ１及び照明制御システムは、通信部３００と、記憶部４００と、ユーザー指示が入力されるユーザー操作部６００とを有してもよい。
【００１２】
図２に示されるように、実施の形態に係る照明装置Ａ１は、例えば光源として機能する発光部１００に、半球状（すなわち、半球面）の液晶部２００が発光部１００を覆うカバーとして装着された外観を有する。なお、発光部１００に供給される電力は、コンセントによる外部給電により供給してもよいし、蓄電池などの電池による内部給電により供給してもよい。
【００１３】
発光部１００は、例えば、ＬＥＤ（発光ダイオード）素子で構成される光源である。実施の形態では、発光部１００は、ＬＥＤ素子に限定されるものではなく、白熱球又は蛍光灯などのような他の発光手段であってもよい。
【００１４】
液晶部２００は、印加電圧に応じて液晶の配列方向を変えて（その結果、透過光の偏光方向をねじ曲げて）、透過光量を調節する機能を有する。液晶部２００は、後述するように、より広範囲のエリアの照度を設定できるようにするため、できるだけ正半球（すなわち、正半球面）に近い形状を有することが望ましい。ただし、液晶部２００の形状は半球状又は正半球には限定されない。液晶部２００の形状は、例えば、平面形状であってもよい。また、液晶部２００の形状は、発光部１００と反対側を凸状にした曲面であってもよい。また、液晶部２００の形状は、発光部１００の発光中心を中心とする球状（すなわち、球面）であってもよい。液晶部２００の形状が半球状又は球状である場合には、発光部１００の発光中心と、液晶部２００の半球又は球の中心とは一致することが望ましい。
【００１５】
実施の形態に係る照明制御システムにおいて、通信部３００は、外部（例えば、ユーザー操作部６００）から設定情報Ｄ１を取得する。通信部３００は、例えば、ユーザーにより設定された情報を設定情報Ｄ１として取得する。通信部３００が取得した設定情報Ｄ１は、処理部５００に入力される。
【００１６】
記憶部４００には、照明装置Ａ１の位置情報Ｄ５及びエリア情報Ｄ２を含むマップ情報Ｄ４が予め記憶されている。記憶部４００に記憶された情報は、処理部５００による処理の際に参照される。
【００１７】
処理部５００は、通信部３００から取得された設定情報Ｄ１と、記憶部４００に記憶されている照明装置Ａ１の位置情報Ｄ５及びマップ情報Ｄ４とを参照することにより、電圧を印加する液晶部２００の電極の決定及び、液晶部２００の電極に印加する電圧の算出を行う。処理部５００は、液晶部２００における光の透過率を、発光部１００の発光中心から見た方角に応じて変更する液晶制御部としての機能を有する。
【００１８】
なお、記憶部４００及び処理部５００は、必ずしも照明装置Ａ１の発光部１００と同じ位置に備えられる必要はない。例えば、照明装置Ａ１と通信可能であるリモコンなどのようなユーザー操作部６００が、記憶部４００と処理部５００とを備えていてもよい。この場合には、照明装置Ａ１と、記憶部４００と処理部５００を含むユーザー操作部６００とが、照明制御システムを構成する。なお、複数の照明装置Ａ１と、１つのユーザー操作部６００とで、１つの照明制御システムを構成することも可能である。
【００１９】
図３（ａ）及び（ｂ）は、実施の形態における液晶部２００の概略的な構成を示す図である。図３（ａ）には、電極間に電圧を印加していない場合が示されており、図３（ｂ）には電極間に電圧を印加している場合が示されている。図３（ａ）及び（ｂ）に示される液晶部２００は、例えば、ＴＮ（Ｔｗｉｓｔｅｄ  Ｎｅｍａｔｉｃ）液晶である。
【００２０】
図３（ａ）及び（ｂ）に示されるように、液晶部２００は、偏光フィルター２１１と、偏光フィルター２１２と、配向膜２２１と、配向膜２２２とを有する。偏光フィルターは、特定方向に偏光した光のみを通過させるフィルターである。偏光フィルター２１１が通過させる光の偏光方向（ａ方向）と偏光フィルター２１２が通過させる光の偏向方向（ｂ方向）とは、互いに直交する。つまり、偏光フィルター２１１を通過する光は、ａ方向の偏光方向を有し、偏光フィルター２１２を通過する光は、ａ方向とは直交するｂ方向の偏光方向を有する。配向膜２２１は、複数のＹ電極２３１を有し、配向膜２２２は、複数のＸ電極２３２を有する。
【００２１】
図３（ａ）及び（ｂ）に示されるように、配向膜２２１及び配向膜２２２は、配向膜にある溝の向きが９０度異なるように構成され、配向膜２２１及び配向膜２２２の内側にあるＹ電極２３１及びＸ電極２３２もまた、向きが９０度異なるように構成される。Ｙ電極２３１とＸ電極２３２との間には、液晶層２４０が配置される。液晶層２４０は、液晶分子２４１を内包する。
【００２２】
実施の形態における液晶部２００では、Ｙ軸方向に延びる複数のＹ電極２３１及びＸ軸方向に延びる複数のＸ電極２３２は、長手方向の向きが互いに９０度異なるため、Ｙ電極２３１及びＸ電極２３２に電圧を印加した場合、電圧が印加されたＹ電極２３１及びＸ電極２３２の交点に位置する液晶分子２４１のみに、電圧が印加される。
【００２３】
ここで、直交する電極の交点のみに電圧を印加して液晶分子の向きを変える方式は、単純マトリックス駆動方式（パッシブマトリックス駆動方式）と呼ばれるが、本発明に適用可能な液晶駆動方式は、液晶層２４０の任意の位置に電圧を印加できる方式であれば他の駆動方式であってもよい。
【００２４】
まず、図３（ａ）に示される電極間に電圧を印加していない場合について説明する。図３（ａ）に示されるように、偏光フィルター２１１には、発光部１００から出射された光が入射される。偏光フィルター２１１は、入射光の偏光成分のうち、図３（ａ）におけるａ方向の偏光成分のみを通過させる機能を有する。したがって、偏光フィルター２１１を通過した光は、ａ方向の偏光方向の光となる。偏光フィルター２１１を通過した光は、配向膜２２１に入射される。
【００２５】
ここで、液晶分子２４１は、電極の溝の向きに沿うように並ぶ。したがって、Ｙ電極２３１付近の液晶分子２４１は、ａ方向を向いて並ぶ。また、Ｘ電極２３２付近の液晶分子２４１は、ｂ方向を向いて並ぶ。Ｙ電極２３１とＸ電極２３２との間の液晶分子２４１は、Ｙ電極２３１からＸ電極２３２に近づくに従い、ａ方向から次第にｂ方向を向くようにねじれながら並ぶ。
【００２６】
ここで、電極間を進む光は、液晶分子２４１の隙間に沿って進むため、偏光フィルター２１１によりａ方向の偏光方向となった光は、液晶分子２４１のねじれに影響されて、電極間を通過する際に、偏光方向が９０度回転する。したがって、配向膜２２２に入射する光は、ｂ方向の偏光方向の光となる。このため、Ｘ電極２３２及び配向膜２２２を通過し、偏光フィルター２１２に入射した光は、ｂ方向の偏光方向の光を通過させる偏光フィルター２１２を通過する。
【００２７】
一方、図３（ｂ）に示される電極間に電圧が印加された場合においては、電圧が印加されると液晶分子２４１は垂直方向の電界に沿って並ぶため、液晶分子２４１は垂直方向を向いて並ぶ。液晶層２４０を通過する光は垂直方向に並んだ液晶分子２４１の並びに沿って、直進する。したがって、液晶層２４０に入射したａ方向の偏光方向を有する光は、偏光方向が回転せず、ａ方向の偏光方向のまま偏光フィルター２１２に入射する。よって、偏光フィルター２１２に入射した光は、偏光フィルター２１２を通過することができない。
【００２８】
図４は、実施の形態に係る照明制御システムにおける設定情報Ｄ１を概略的に示す図である。設定情報Ｄ１は、照明装置Ａ１を使用するユーザーが、例えば、ユーザー操作部６００で設定する情報である。ユーザーによって設定された設定情報Ｄ１は、通信部３００に対して送信され、通信部３００によって取得される。以下の説明では、ユーザーが照度を設定したいエリアが、例えば、後述するＡエリアであるものとして説明する。
【００２９】
図４に示されるように、設定情報Ｄ１は、エリア情報Ｄ２と、照度情報Ｄ３とを有する。エリア情報Ｄ２は、ユーザーが照度を設定したいエリア（被照明領域）の範囲を示す情報であり、例えば、照度を設定したいエリアが四角形の場合、四角形の隅の４つの座標により示される。図４には、一例として、Ａエリアの座標に関する情報が示されている。照度情報Ｄ３は、照度を設定したいエリアに設定する照度を示す情報であり、例えば、ルクス（ｌｘ）の単位により示される。
【００３０】
図５は、実施の形態に係る照明制御システムにおけるマップ情報Ｄ４を概略的に示す図である。図５には、ＸＹＺ直交座標系の座標軸が矢印Ｘ、Ｙ、Ｚで示されている。図５に示されるように、実施の形態におけるマップ情報Ｄ４は、実施の形態に係る照明装置Ａ１が使用される施設における照明エリアの分布に関する６つのエリア情報Ｄ２（ＡエリアからＦエリア）を含む。また、実施の形態におけるマップ情報Ｄ４は、照明装置Ａ１が設置される位置に関する位置情報Ｄ５を含む。図５においては、照明装置Ａ１は、６つのエリアの中央（ＸＹ座標面における中央）に配置されている。位置情報Ｄ５は、例えば、（Ｘ，Ｙ，Ｚ）座標により示される。
【００３１】
処理部５００は、ユーザーが照度を設定したいエリアに関するエリア情報Ｄ２（例えば、Ａエリア）と、照明装置Ａ１の位置を示す位置情報Ｄ５とから、照明装置Ａ１からユーザーが設定したエリアまでの方角Ｐを算出する。方角Ｐは、照明装置Ａ１の発光部１００の発光中心から見た各エリアへの方角を示す。
【００３２】
図６は、実施の形態に係る照明制御システムにおける処理部５００により算出された方角Ｐと、方角Ｐに面したＹ電極２３１及びＸ電極２３２の交点とを示す図である。図６の液晶部２００における横線には、Ｘ電極２３２が示されており、図６の液晶部２００における縦線には、Ｙ電極２３１が示されている。また、図６の液晶部２００における縦線と横線との交点は、Ｙ電極２３１とＸ電極２３２との交点である。
【００３３】
処理部５００により、図６における矢印方向の方角Ｐにあるエリアの照度を調整したい場合には、方角Ｐに面したＹ電極２３１及びＸ電極２３２の交点は、図６に示される範囲Ｔ内にある交点となる。図６における範囲Ｔ内にある交点に対して、設定したい照度に応じた電圧を印加することにより、方角Ｐの方向における照度を調整することができる。
【００３４】
図７は、実施の形態に係る照明制御システムにおける処理部５００により抽出された照明装置Ａ１の電極（電極の交点）と、電極における印加電圧のマトリックス情報Ｄ６を示す図である。図７は、例えば、処理部５００により算出された方角Ｐに面したＹ電極２３１及びＸ電極２３２の交点に印加される電圧の値を示している。図７に示されるように、例えば、Ｘ電極１とＹ電極１の交点（Ｘ１、Ｙ１）における印加電圧は、３．１Ｖである。方角Ｐの方向における照度を下げたい場合には印加電圧を増加させる。方角Ｐにおける照度を上げたい場合には、印加電圧を減少させる。
【００３５】
図８は、実施の形態に係る照明装置Ａ１及び照明制御システムを適用した場合の各エリアにおける照度を示す図である。図８には、照明装置として、照明装置Ａ１，Ａ２，Ｂ１，Ｂ２が示されており、また、競技施設における床面エリアとしてＡエリアとＢエリアが例示されている。照明装置Ａ１，Ａ２はＡエリアの真上に位置する照明装置であり、照明装置Ｂ１，Ｂ２は、Ｂエリアの真上に位置する照明装置である。図８において、Ａエリアは照度を低く設定したいエリアであり、Ｂエリアは照度を高く設定したいエリアである。また、図８における点線は、照度が低いエリアを照明する弱い光を示しており、図８における実線は、照度が高いエリアを照明する強い光を示している。
【００３６】
図８に示されるように、Ａエリアには各照明装置Ａ１，Ａ２，Ｂ１，Ｂ２からの照明光が照射されるが、照明装置Ａ１，Ａ２から真下に向かう光の光量を低く設定することにより、照明装置Ａ１，Ａ２は、Ａエリアの照度を低くするように、弱い光をＡエリアに向けて照射する。また、照明装置Ｂ１，Ｂ２から斜め下方向（Ａエリアに向かう方向）へ向かう光の光量を低く設定することにより、照明装置Ｂ１，Ｂ２は、Ａエリアの照度を低くするように、弱い光をＡエリアに向けて照射する。したがって、各照明装置Ａ１，Ａ２，Ｂ１，Ｂ２からＡエリアに照射される光は一様に弱い光となり、Ａエリアの照度を一様に低く設定することができる。これにより、Ａエリアから見て、全ての照明装置の明るさが均一に低くなるように設定することができる。
【００３７】
図８に示されるように、Ｂエリアには各照明装置Ａ１，Ａ２，Ｂ１，Ｂ２からの照明光が照射されるが、照明装置Ｂ１，Ｂ２から真下に向かう光の光量を高く設定することにより、照明装置Ｂ１，Ｂ２は、Ｂエリアの照度を高くするように、強い光をＢエリアに向けて照射する。また、照明装置Ａ１，Ａ２から斜め下方向（Ｂエリアに向かう方向）へ向かう光の光量を高く設定することにより、照明装置Ａ１，Ａ２は、Ｂエリアの照度を高くするように、強い光をＢエリアに向けて照射する。したがって、各照明装置Ｂ１，Ｂ２，Ａ１，Ａ２からＢエリアに照射される光は一様に強い光となり、Ｂエリアの照度を一様に高く設定することができる。これにより、Ｂエリアから見て、全ての照明装置の明るさが均一に高くなるように設定することができる。
【００３８】
したがって、照明装置Ａ１〜Ｂ２に対し、Ａエリアにおける照度と、Ｂエリアにおける照度を、同時且つ別々に設定できるため、各エリアから見て全ての照明装置（Ａ１〜Ｂ２）の明るさが均一となるように設定することができる。言い換えれば、照明制御システムにおいて、液晶制御部としての処理部５００は、エリアの位置を示すエリア情報と照明装置Ａ１〜Ｂ２の位置を示す位置情報とユーザーが設定した設定情報とから、照明装置Ａ１〜Ｂ２の各々の発光部１００から複数のエリアのうちの設定情報で指定されたエリアに向かう方角を算出し、照明装置Ａ１〜Ｂ２の各々の液晶部２００のうちの発光部１００から見て算出された方角に配置されている領域の光の透過率を調整する。また、この調整は、ユーザーが設定した設定情報に含まれる照度情報に応じて行われる。
【００３９】
《２》動作
次に、以上のように構成された実施の形態に係る照明装置Ａ１の動作について説明する。
【００４０】
図９は、実施の形態に係る照明装置Ａ１及び照明制御システムの動作の一例を示すフローチャートである。
【００４１】
図９に示されるように、照明装置Ａ１及び照明制御システムの動作が開始されると、まず、ユーザーは、照度を設定したいエリアの範囲を示すエリア情報Ｄ２と、エリアに設定する照度を示す照度情報Ｄ３を、設定情報Ｄ１として照明装置Ａ１に送信する（ステップＳ１０１）。
【００４２】
続いて、通信部３００は、ユーザーから送信された設定情報Ｄ１を取得する（ステップＳ１０２）。
【００４３】
続いて、処理部５００は、通信部３００が設定情報Ｄ１を取得すると、予め記憶部４００に記憶された図６に示すような施設内のマップ情報Ｄ４から、エリア情報Ｄ２に対応する設定エリアを抽出する（ステップＳ１０３）。
【００４４】
続いて、処理部５００は、予め記憶部４００に記憶された照明装置Ａ１の位置情報Ｄ５と、抽出したエリア情報Ｄ２に対応する設定エリアに基づき、照明装置Ａ１からユーザーが設定した設定エリアに向かう方角Ｐを算出する（ステップＳ１０４）。
【００４５】
続いて、処理部５００は、図６に示すように、ステップＳ１０４において算出された方角Ｐに面した液晶部２００の領域を駆動させるために、この領域に交点を有するＹ電極２３１及びＸ電極２３２を全て抽出する（ステップＳ１０５）。
【００４６】
続いて、処理部５００は、設定情報Ｄ１に含まれる照度情報Ｄ３に基づき、ステップＳ１０５で抽出した前記Ｙ電極２３１及びＸ電極２３２に印加する印加電圧を決定する（ステップＳ１０６）。
【００４７】
続いて、処理部５００は、抽出したＹ電極２３１及びＸ電極２３２及び印加電圧を図８に示すようなマトリックス情報Ｄ６として生成する（ステップＳ１０７）。
【００４８】
続いて、処理部５００は、生成したマトリックス情報Ｄ６を設定情報Ｄ１と紐付けして記憶部４００に記憶する（ステップＳ１０８）。
【００４９】
続いて、液晶部２００は、マトリックス情報Ｄ６に基づき、ステップＳ１０５で抽出したＹ電極２３１及びＸ電極２３２に、ステップＳ１０７で決定された電圧を印加することにより、ステップＳ１０５で抽出したＹ電極２３１及びＸ電極２３２の交点が位置する領域（液晶部２００の領域）の光（発光部１００から出射され液晶部２００の内面に入射した光）の透過率を調整する（ステップＳ１０９）。
【００５０】
このように、例えば、処理部５００が生成したマトリックス情報Ｄ６に含まれる、液晶部２００の特定の領域の透過率を調整するための電極（Ｙ電極２３１及びＸ電極２３２）の印加電圧を大きくし、前記特定の領域以外の領域の電極の印加電圧を小さくすることにより、算出した方角に対してのみ、偏光フィルター２１２を通過する光の量（透過率）を小さくできるため、算出した方角から見た場合は液晶部２００全体が暗く見えるが、他の方角から見た場合は液晶部２００全体が明るく見えるという状況を作り出すことができる。
【００５１】
《３》効果
以上のように、実施の形態に係る照明装置Ａ１及び照明制御システムによれば、液晶部２００が、ユーザーが任意に設定した複数のエリア及び照度に応じて、各エリアの方角へ異なる透過率で発光部１００から入射した光を透過させる。これにより、照射方向ごとに出射光量を設定することができる。
【００５２】
実施の形態に係る照明装置Ａ１及び照明制御システムによれば、照明装置Ａ１が、液晶部２００の電極に印加する電圧を調整することにより、ユーザーが任意に設定した複数のエリアに対して、同時且つ別々に照度を設定できる。したがって、ユーザーは、各エリア（例えば、図９のＡエリア及びＢエリア）における全ての照明装置（例えば、図９のＡ１〜Ｂ２）による照度が均一となるように設定することができる。
【００５３】
実施の形態に係る照明装置Ａ１及び照明制御システムによれば、液晶部２００のＹ電極２３１及びＸ電極２３２に印加する電圧の大小により透過率を調整することにより、ユーザーは各エリアにおける照度を任意の照度に可変調整することができる。
【００５４】
実施の形態に係る照明装置Ａ１及び照明制御システムによれば、液晶部２００が、発光部１００に対して半球状に形成されることにより、各エリアから見た液晶部２００の面積が広がるため、より広範囲のエリアの照度を設定することができる。
【産業上の利用可能性】
【００５５】
本発明は、体育館又は競技場等の競技施設に導入される照明制御システムにおいて、施設の天井などに設置された複数の照明装置の全ての照度を、施設の床面上で行われる複数の競技の各々に適した照度に設定する場合に活用できる。
【００５６】
また、本発明は、体育館又は競技場等の競技施設において、各エリアに異なる照度で光を照射する照明装置について記載したが、前記競技施設に限らず、例えば舞台用の演出照明としても活用できる。
【００５７】
舞台では、観客席の照度は低く、舞台上の照度は高く設定する必要があり、照明装置が観客席を直接照らさぬよう、施工時に専門業者が設置位置を工夫する必要があった。また、施工後に光の向きを変えようとした場合、再度設置位置を見直す必要があり、施工に関する作業負荷が大きかった。
【００５８】
本発明では、一般のユーザーでも光の向きと照度を、目視で確認しながら設定できるため、施工時及び施工後の作業負荷を軽減することができる。
【符号の説明】
【００５９】
Ａ１、Ａ２、Ｂ１、Ｂ２  照明装置、  １００  発光部、  ２００  液晶部、  ２１１，２１２  偏光フィルター、  ２２１，２２２  配向膜、  ２３１  Ｙ電極、  ２３２  Ｘ電極、  ２４０  液晶層、  ２４１  液晶分子、  ３００  通信部、  ４００  記憶部、  ５００  処理部、  ６００  ユーザー操作部、  Ｄ１  設定情報、  Ｄ２  エリア情報、  Ｄ３  照度情報、  Ｄ４  マップ情報、  Ｄ５  位置情報、  Ｄ６  マトリックス情報。
【図１】
2018073661.tif 000003
【図２】
2018073661.tif 000004
【図３】
2018073661.tif 000005
【図４】
2018073661.tif 000006
【図５】
2018073661.tif 000007
【図６】
2018073661.tif 000008
【図７】
2018073661.tif 000009
【図８】
2018073661.tif 000010
【図９】
2018073661.tif 000011